(57)【要約】洗浄用及び／又は殺菌用溶液を収容するための容器（２）と、ネジ（２０，３０）によって容器（２）にねじ込み可能なキャップ（３）と、キャップ（３）の内側のキャップの底部（３３）上に配置され、キャップ（３）の側壁（３２）の方へ伸びる防水性及び気密性を有する材料から作成されたシールワッシャ（４）と、を有し、キャップ（３）が容器（２）にねじ込まれたとき、シールワッシャ（４）が容器端部（２３）とキャップの底部（３３）との間に封入されて容器の内部が防水シールされ、それによって、キャップ（３）は、シールワッシャ（４）が容器端部（２３）とキャップの底部（３３）との間に封入された領域において、シールワッシャ（４）とキャップの底部（３３）との間に空間（３４）が形成されるように設計され、容器（２）内に過剰な圧力が生じたときに、シールワッシャ（４）がこの空間（３４）の方に変形して、気体をネジ（２０，３０）を通して容器の内部から容器（２）の外部へ逃がすことができるコンタクトレンズ用容器であって、シールワッシャ（４）には、キャップ（３）の側壁（３２）との境界部分においてシールリップ（４２）が備えられ、リップは、シールワッシャ（４）が空間（３４）の方に変形するとき、キャップ（３）の側壁（３２）との間で確実に防水シールがなされるように設計さていることを特徴とするコンタクトレンズ用容器。【特許請求の範囲】
【請求項１】
洗浄用及び／又は殺菌用溶液を収容するための容器（２）と、
ネジ（２０，３０）によって容器（２）にねじ込み可能なキャップ（３）と、
キャップ（３）の内側のキャップの底部（３３）上に配置され、キャップ（３）の側壁（３２）の方へ伸びる防水性及び気密性を有する材料から作製されたシールワッシャ（４）と、を有し、キャップ（３）が容器（２）にねじ込まれたとき、シールワッシャ（４）が容器端部（２３）とキャップの底部（３３）との間に封入されて容器の内部が防水シールされ、それによって、キャップ（３）は、シールワッシャ（４）が容器端部（２３）とキャップの底部（３３）との間に封入された領域において、シールワッシャ（４）とキャップの底部（３３）との間に空間（３４）が形成されるように設計され、容器（２）内に過剰な圧力が生じたときに、シールワッシャ（４）がこの空間（３４）の方に変形して、気体をネジ（２０，３０）を通して容器の内部から容器（２）の外部へ逃がすことができるコンタクトレンズ用容器であって、
シールワッシャ（４）には、キャップ（３）の側壁（３２）との境界部分においてシールリップ（４２）が備えられ、リップは、シールワッシャ（４）が空間（３４）の方に変形するとき、キャップ（３）の側壁（３２）との間で確実に防水シールがなされるように設計さていることを特徴とするコンタクトレンズ用容器。
【請求項２】
シールリップ（４２）が、容器端部（２３）に面するシールワッシャ（４）の端部に備えられている、請求項１に記載のコンタクトレンズ用容器。
【請求項３】
シールワッシャ（４）が、およそ２００Ｎ／mm2の弾性率を有するプラスチックからなり、特に、低密度ポリウレタンから作製される、請求項１又は２に記載のコンタクトレンズ用容器。
【請求項４】
キャップ（３）をねじ込んだり取りはずしたりするためのネジ（２０，３０）が、ほんのわずかな巻き数、好ましくは１又は２巻きである、請求項１から３のいずれか１項に記載のコンタクトレンズ用容器。
【請求項５】
キャップ（３）に固定できるコンタクトレンズホルダ（５）が備えられ、
容器（２）の中に突き出たホルダの端部は、回転軸（５６，５７）のまわりを回転可能な２つの凹形のバスケット（５０、５０ａ）と共に、２つの凸形の保持面（５３，５４）を備え、
各々のバスケットはウェッブ（５０４）を備え、ウェッブ（５０４）の間には洗浄用及び／又は殺菌用溶液のための出口（５０３）が設けられ、それにより、凸形の保持面（５３，５４）の表面は、凹形のバスケット（５０，５０ａ）のウェッブ（５０４）の表面よりも実質的に大きい、請求項１から４のいずれか１項に記載のコンタクトレンズ用容器。
【請求項６】
凸形の保持面（５３，５４）が、うねりのある完面像のように成型されている、請求項５に記載のコンタクトレンズ用容器。
【請求項７】
凹形のバスケット（５０，５０ａ）を掴み、回転させるための識別ラグ（５０５）が、回転軸（５６，５７）から離れた側の各々の凹形のバスケット（５０，５０ａ）の端部に備えられている、請求項５又は６に記載のコンタクトレンズ用容器。
【請求項８】
シンボル（５０６）が、少なくとも１つのバスケット（５０）のラグ（５０５）に備えられ、シンボルが、特定のコンタクトレンズ用、例えば左のコンタクトレンズ用のバスケット（５０）であることを識別するために備えられていることを特徴とする、請求項７に記載のコンタクトレンズ用容器。
【発明の詳細な説明】
【技術分野】
【０００１】
本発明は、独立特許請求項の前提部に基づいたコンタクトレンズ用容器に関する。
【０００２】
コンタクトレンズ用容器は、長年、おびただしい種類のものが市場に出回ってきている。コンタクトレンズの洗浄及び／又は殺菌を行う場合に、ある（コンタクトレンズ）ケアシステムでは、過酸化水素溶液が用いられており、この場合、満足できる程度にコンタクトレンズの洗浄及び／又は殺菌が行われるようにするために、洗浄及び／又は殺菌されるコンタクトレンズを、ある一定の時間だけ過酸化水素溶液と接触させる必要がある。この洗浄又は殺菌の工程の間に、過酸化水素溶液中の過酸化水素（Ｈ2Ｏ2）は、例えば、分解工程を起こさせたり促進させたりするカタラーゼの放出を遅らせるカタラーゼ錠剤の助けを借りて、水（Ｈ2Ｏ）と酸素（Ｏ2）に分解する。この分解工程が完了した後に、洗浄及び／又は殺菌は終了し、コンタクトレンズを容器から取り出して、そのまま目に装着することもできるし、リンス溶液で処理した後に目に装着することもできる。
【０００３】
典型的なコンタクトレンズ用容器では、洗浄されるコンタクトレンズを中に入れて、そして閉じることのできるバスケットを備えている。このバスケットは、通常、コンタクトレンズ用容器のキャップに接続されるコンタクトレンズホルダ上に備えられる。キャップが取り付けられる前に、過酸化水素溶液が容器に注入される。カタラーゼの放出を遅らせるカタラーゼ錠剤は、すぐに加えることもできるし、過酸化水素溶液を追加する前に加えてもよい。最後に、キャップを容器にねじ込むことによって、容器は防水シールされた状態で閉じられる。そして、コンタクトレンズホルダ上のコンタクトレンズは、過酸化水素溶液に浸されて、洗浄及び／又は殺菌の工程（コンタクトレンズを過酸化水素溶液に接触させること）が行われ、引き続いて、過酸化水素の分解が起こる。過酸化水素が分解するときに発生した酸素は、容器内に過剰な圧力を生じさせないように、容器から逃げるようになっていなければならない。
【０００４】
既に最初に述べたように、この種のコンタクトレンズ用容器は、既に市場に出回っている。溶液の漏れを防ぐシールが備えられており、例えば、キャップの中に設置されていて、キャップが容器にねじ込まれたときに、容器とキャップの間で挟み込まれ、従って、容器からの漏れを防ぐシールワッシャの働きによる。過酸化水素の分解の間に生成される酸素を容器から逃がすためには、原則として３つの基本的な構造的配置が考えられる。
【０００５】
最初の配置は、キャップに通気口が設けられており、この通気口は、シールワッシャの裏側の空間からキャップを貫通して伸びている。シールワッシャには、開口部（例えば、スリット）が設けられており、この開口部は、基本的に水を通さないが、過酸化水素の分解中に生成される酸素を通して、容器の内部から外部へ逃がせるようになっている。従って、これを実現するためには、少なくともスリットのある領域では、シールワッシャが反対側に変形できるようになっていなければならず、この理由のためにシールワッシャとキャップとの間のこれら開口部の領域に一定の空間が設けられている。
【０００６】
２番目の配置は、同様にキャップに通気口が設けられ、この通気口は、キャップ内に配置されたシール膜の裏側の空間からキャップを貫通して伸びている。このシール膜は、気体は通すが、液体は通さないようになっており、酸素は逃げることができるが、液体はこのシール膜を通ってこの空間へ入ることができないようになっている。もちろん、もし、コンタクトレンズ用容器が通常の位置にない場合（例えば、横向きにされていたり、落下してしまったりした場合等）で、洗浄及び／又は殺菌工程中に、生成された酸素と液体が同時にシール膜を押す場合には、残った溶液がシール膜を通過して、シール膜の裏側の空間に浸入する恐れがある。更に、シール膜がキャップの内部に溶着される場合には、製造の観点から言って、非常に大きなコストにつながる。
【０００７】
３番目の配置では、キャップに設けられた通気口からの通気は行わず、容器とキャップとの間のネジを通過させる通気を行う。これを行うためには、酸素が、ネジのピッチを通過して容器の内側から出られるように、シールワッシャは、その外周部で反対側に変形できるようになっていなければならない。この場合においても、外周の領域には、シールワッシャとキャップとの間に、一定の空間が設けられていなければならない。
【０００８】
上記のいずれの場合においても、シールワッシャとキャップとの間に、一定の空間が設けられている。残った溶液がこの空間に達して、細菌による汚染（細菌）の危険があることが明らかになった。従って、この細菌による汚染が、引き続いて容器の内部に達する危険もあり、コンタクトレンズの着用者を保護するために、洗浄及び殺菌されたコンタクトレンズを無菌状態に置くという観点から、避けなければならない。
【０００９】
従って、問題を解決するには、上述の種類のコンタクトレンズ用容器において、コンタクトレンズの細菌による汚染の恐れを少なくとも大幅に減少させ、かつ、技術的な観点から、簡単に製造できるコンタクトレンズ用容器を提案する必要がある。
【００１０】
この問題は、独立特許請求項の特徴部分に規定された本発明のコンタクトレンズ用容器によって解決される。本発明のコンタクトレンズ用容器の更なる有効な開発事項も、独立特許請求項の特徴部分に示されている。
【００１１】
シールワッシャには、キャップの側壁との境界部分にシールリップが備えられているという事実により、このリップは、シールワッシャが空間の中へ変形しても、キャップの側壁との間で、確実に防水シールがなされるように設計されており、シールワッシャが変形したときに、残った液体がキャップの底部とシールワッシャとの間の空間に達することができず、そこに液体が溜まることもないようになっている。従って、そこで細菌による汚染も生じる恐れもなく、容器の内部に達することもない。もし、容器に面する側のシールワッシャの端部にシールリップが備えられていれば、側壁との間のシールを、溶液との接触領域に限りなく近くすることができるので、有利である。
【００１２】
約２００Ｎ／mm2の（引張）弾性率（試験基準ＩＳＯ５２７、ＤＩＮ  ５３  ４５７）を有するプラスチックから作製されたシールワッシャ、とりわけ、低密度ポリエチレン（ＬＤＰＥ）から作製されたシールワッシャが適している。しかし、基本的には、この種の低密度ポリエチレン（ＬＤＰＥ）と同じように、反対向きに変形可能であって、シールワッシャとキャップの側壁との間で同等以上の気密性を有する、液体や気体を通さないその他のプラスチックも考慮することができる。
【００１３】
キャップをねじ込んだり取りはずしたりするために、ネジがほんのわずかな巻き数からなり、好ましくは１又は２巻きからなることについても、有利な点である。この場合、キャップをねじ込んだり取りはずしたりするために要する労力は、非常に小さく、取り扱い易さが増す。
【００１４】
更に有利な実施態様としては、コンタクトレンズホルダが備えられており、キャップに固定できるようになっている。容器の中に突き出たコンタクトレンズホルダの端部には、回転軸を中心に回転可能な２つの凹形のバスケットと共に、２つの凸形の保持面が備えられている。各々のバスケットはウェッブを有し、このウェッブの間には、洗浄及び／又は殺菌の溶液のために通路が備えられている。凸形の保持面の表面は、凹形のバスケットのウェッブの表面よりも実質的に大きくなっている。これによって、バスケットが開かれたときに、大半の場合は、より大きな粘着力によってコンタクトレンズは凸形の保持面上に残り、これにより、凹形バスケットから取り出すよりも、より容易にコンタクトレンズを取り出すことができるので、有利である。凸形の保持面は、うねりの有る完面像のように成型されているのが望ましい。
【００１５】
もし、それぞれのバスケットの回転軸から離れた側の端部に、凹形のバスケットを掴んで回転させるための識別ラグが備えられていれば、このことも有利な点である。これによって、それぞれのバスケットの開閉を簡略化して、取り扱い易さを増す。
【００１６】
最後に、少なくとも１つのバスケットのラグにシンボルを付ければ、このシンボルは、特に特定のコンタクトレンズ（例えば、左のコンタクトレンズ）用のバスケットであることを識別できるので有利である。このことは、右と左のコンタクトレンズを整理することを簡略化し、バスケットに異なる色をつけることによって更に効果が増す。このシンボルは、例えば、左のコンタクトレンズ用のバスケットの識別ラグに“Ｌ”の浮き出し文字にすることができ、もし、周囲に灯りが少ない場合でも、それぞれのコンタクトレンズを十分識別して整理することができる。
【発明を実施するための最良の形態】
【００１７】
更なる有利な開発が、図面における次の有利な実施態様の記述から明らかである。
【００１８】
図１は、本発明に基づくコンタクトレンズ用容器（以後、簡略化して“コンタクトレンズ用容器”と称する。）とそのコンポーネントの実施態様を示す分解組立図である。図１において、コンタクトレンズ用容器１（図２に組立状態を示す）は、外側のネジ２０を備えた容器２と、内側のネジ３０を備えたキャップ３とを備え、キャップ３を容器２にねじ込むことによって、内側のネジ３０を外側のネジ２０と係合させることができる。キャップ３の中央の位置には、コンタクトレンズホルダ５のための固定部材３１が備えられている。シールワッシャ４をキャップ３に導くことができる。シールワッシャ４は中央開口部４１が設けられており、この中央開口部４１を通して、コンタクトレンズホルダ５の近接端部５１を取り付けることができる。従って、シールワッシャ４の中央開口部４１を通して、コンタクトレンズホルダ５を、キャップ３の固定部材３１に挿入することができる。２つのバスケット５０と５０ａとは、回転軸を介してコンタクトレンズホルダ５に取り付けられる。
【００１９】
図２では、図１で分解された状態を示すコンタクトレンズ用容器１の、組み立てられた状態を示す。シールワッシャ４はキャップ３に挿入されており、コンタクトレンズホルダ５の近接端部５１は、シールワッッシャ４の中央開口部４１を通して、キャップ３の固定部材３１に挿入されている。コンタクトレンズホルダ５は、圧入（摩擦力によるもの）によって、固定部材３１に固定できるし、例えば、開放可能な留金（リリーサブルスナップ）によって固定することもできる。シールワッシャ４の中央開口部４１は、コンタクトレンズホルダ５が中央開口部４１を通して押し込まれるとき、コンタクトレンズホルダ５の近接端部５１の対応する外表面に、半径方向内向きに面するシールワッシャ４の面が、コンタクトレンズホルダ５の近接端部５１の外表面に対して気密性を持って載置されるような寸法になっている。コンタクトレンズホルダ５が、正しくキャップ３に挿入されたときには、コンタクトレンズホルダ５上の外周突起部５２は、同様に、シールワッシャ４の形状に沿って接している。
【００２０】
同様に図２又は図３に示されるように、シールワッシャ４は、キャップ３の側壁３２の内面３２０に放射状に伸びている。キャップ３がねじ込まれると、シールワッシャ４はキャップの底部３３と容器端部２３との間に封入され、容器２は防水シールされる。シールワッシャ４が容器端部２３とキャップの底部３３との間に封入された領域において（例えば、シールワッシャ４の放射状外側端部において）、キャップの底部３３に空間が設けられ、ドーナツ状の溝３４が形成される。
【００２１】
作業中において、過酸化水素が分解するとき、生成される酸素によって過剰な圧力が容器２にかかる。この瞬間、特に容器端部２３とキャップの底部３３との間に封入された領域では、シールワッシャ４が溝３４の方へ変形し、酸素は、これによってシールワッシャ４と容器端部２３との間に形成された微小な隙間を通って、気密状態になっていないネジのピッチ部分へ到達することができる。その結果、過酸化水素の分解によって生成された酸素を、このようにして、容器２の内部からネジを通って外部へ逃がすことができる。
【００２２】
初めに述べたように、このような洗浄システムを有する既存のコンタクトレンズ用容器の場合の問題は、シールワッシャ４が、シールワッシャ４の裏側の空間の方（この場合では溝３４側）へ変形するときに、残った溶液が漏れて浸入し、細菌による汚染も発生する。従って、このような汚染（例えば細菌）は増え続けて、容器２の内部へも達することになるので、避けなければならない。
【００２３】
図３は、図２の断面ＩＩＩの部分を拡大した図である。ここでは上記と同様に、シールワッシャ４が、その外側の領域、例えば、キャップの底部３３と容器端部２３との間に封入されている領域で、形成されている様子が示されている。図３には、変形していない状態のシールワッシャ４が示されている。図４にもシールワッシャ４が示されており、図４の断面Ｖが、再び拡大されて図５に示されている。図３及び図５に特に良く示されているが、組み立てられた場合に、シールワッシャ４には、キャップ３の側壁３２の内面との境界部分であって、容器端部２３と隣接した側の端部に、シールリップ４２が備えられている。シールリップ４２は、シールワッシャ４が変形したときに、つまり、過酸化水素の分解の間に酸素が逃げたときに、それにもかかわらず、側壁の内面に載置されている。また、シールワッシャ４が更に変形しても、キャップ３の側壁３２の内面に対して、防水シールがなされている。その結果、溶液が溝３４に達することはなく、細菌性の汚染がそこへ到達することもない。
【００２４】
シールワッシャ４は低密度ポリエチレン（ＬＤＰＥ）から作製されることが好ましく、約１mmから１．５mmの範囲の厚みのシールワッシャにおいて、約２００Ｎ／mm2の（引張）弾性率を有することが好ましい。シールリップ４２の領域において、シールワッシャは、特に１mmの厚みを有し、一方、シールリップ４２自体は約０．２mmの厚み（軸方向）を有するので、この領域では、合計約１．２mmの厚みを有する。
【００２５】
シールワッシャ４に用いられる材料としては、特に“Lupolen（登録商標）１８１０Ｈ”という名前で知られるポリエチレンを用いることができ、この材料は、バーゼルポリオレフィン社（ドイツ、D-77694  Kehl）から購入可能であり、シールワッシャ４は、この材料を射出成型して作られる。この材料は、コンタクトレンズの洗浄及び／又は殺菌に関する用途分野で適用することができる。しかしながら、基本的には、他の材料の適用も考えられる。シールワッシャ４は、供給されるコンタクトレンズ用容器において、キャップ３から外れることがないように、キャップ３にしっかり固定されておくことが好ましい。
【００２６】
図２から及び図３からも明らかなように、キャップ３をネジ込んだり取りはずしたりするためのネジは、少ない巻き数でよく、好ましくは１巻き又は２巻きである。ここに示された実施態様では、完全な１巻きよりも少し多い巻き数であり、これは、キャップ３を容器２に安全にはめて堅く固定するのに、十分な巻き数である。従って、何回もキャップをまわす必要がないので、キャップ３の着脱には労力を要さない。
【００２７】
図６に、コンタクトレンズホルダ５の平面図を示す。既に述べたように、突起部５２は、コンタクトレンズホルダ５の近接端部５１に接続される。コンタクトレンズホルダ５の近接端部５１は、外周突起部５２がシールワッシャ４に当接するまで(図２参照)、シールワッシャ４の中央開口部４１を通して、キャップ３の固定部材３１へ挿入される。コンタクトレンズホルダ５の先端部、例えば、工程中に、容器２内に突き出した、又は、その中に入ている過酸化水素溶液中に突き出した端部には、２つの凸形の保持面５３及び５４が備えられている。図６では、もう一方の保持面５４は、もう一方の方向に面した側にあるので、保持面５３のみが見えている。図示されるように、保持面５３と５４は、山部５３０と谷部５３１があるうねりのある完面像のように成型されていることが望ましい。
【００２８】
これらの保持面５３と５４の周囲には、過酸化水素溶液が通過できる開口部５５が備えられて、リンスが行えるようになっている。洗浄及び／又は殺菌工程を行う前に、各々の凸形の保持面５３と５４とにコンタクトレンズを１つづつ載せ、次に、バスケット５０又は５０ａを、コンタクトレンズホルダ５にカチンと留まるまで、回転軸５６及び５７の廻りを回転させ、コンタクトレンズを収納する。
【００２９】
バスケット５０と５０ａは、例えば、１つのバスケット５０の平面図である図７の実施例に示されるように成型することができる。特に、２つの留め具５００と５０１が示されており、バスケット５０と５０ａが回転軸５６と５７の廻りを回転できるように、２つの留め具５００と５０１を回転軸５６と５７からぶら下げるようにしてもよい。図７に示されるように、留め具５００と５０１は、各々、中立面５０２から異なる距離に設置されている。なぜならば、どのような場合でも、もう一方のバスケットは必ず反対側から吊り下げられなければならなくなり、１つのバスケットの留め具は、もう一方のバスケットの留め具を邪魔することにはならないからである。バスケット５０と５０ａは、（コンタクトレンズに面する側、又は、保持面５３と５４に面する側において）凹形の形状をしている。これらのバスケットは開口部５０３を備え、この開口部５０３の間には、ウエッブ５０４が伸びている。リンスは、この開口部５０３を通して行われ、このことは、工程中に、過酸化水素溶液が繰り返し循環して、新鮮な過酸化水素溶液が、連続的にコンタクトレンズと接触することができることを意味する。
【００３０】
既に上述したように、保持面５３と５４はうねりのある完面像のように成型されていることが好ましいが、常にそうでなければならないという訳ではない。基本的には、凸形の保持面５３と５４の表面は、凹形のバスケットのウェッブの表面よりも大きいほうが好ましい。これによって、洗浄及び／又は殺菌工程を終了した後にバスケットを開けたときに、大半の場合には、コンタクトレンズが（より大きな粘着力によって）凸形の保持面５３と５４上に残り、これによって、バケット５０又は５０ａから取り出すよりもより簡便に取り出すことができので、有利である。
【００３１】
最後に、各々のバスケット５０と５０ａには、回転軸５６と５７から離れた側の端部に、それによって、バスケットを掴んで回転軸５６と５７の廻りを回転させることができる識別ラグ５０５が備えられている。このラグ５０５には、シンボル５０６が付けられ、この場合には、“Ｌ”の浮き出し文字が付けられ、バスケットが左のコンタクトレンズ用であることが識別できるようになっている。他のバスケットのラグは、先端部であるが、横方向の他端部に、同様にシンボルを付けることもできるし、又は、何も付けないでおくこともできる。少なくとも１つのバスケットにこのようなシンボルが付けられれば、左のコンタクトレンズ用のバスケットであるか、右のコンタクトレンズ用のバスケットであるか、明確に識別することができる。これに加えて、あるいはまた、バスケットが左のコンタクトレンズ用か右のコンタクトレンズ用かを単純に識別するために、バスケットに異なる色を着色することも好ましい。
【図面の簡単な説明】
【００３２】
【図１】本発明のコンタクトレンズ用容器とそのコンポーネントの実施態様を示す長手方向の断面を示す分解組立図である。
【図２】図１に示されるコンタクトレンズ用容器の実施態様の組立状態を示す図である。
【図３】図２の断面ＩＩＩを拡大した図である。
【図４】図１のコンタクトレンズ用容器の実施態様のシールワッシャを拡大した図である。
【図５】図４の断面Ｖを拡大した図である。
【図６】図１のコンタクトレンズ用容器の実施態様のコンタクトレンズホルダを示す平面図である。
【図７】図１のコンタクトレンズ用容器の実施態様のバスケットを示す平面図である。
【国際公開パンフレット】
2004533905.tif 000002
2004533905.tif 000003
2004533905.tif 000004
2004533905.tif 000005
2004533905.tif 000006
2004533905.tif 000007
2004533905.tif 000008
2004533905.tif 000009
2004533905.tif 000010
2004533905.tif 000011
2004533905.tif 000012
2004533905.tif 000013
2004533905.tif 000014
2004533905.tif 000015
2004533905.tif 000016
2004533905.tif 000017
2004533905.tif 000018
2004533905.tif 000019
【国際調査報告】
2004533905.tif 000020
2004533905.tif 000021
2004533905.tif 000022